【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
画像を生成する撮像手段と、
前記画像を含むファイルを生成し、これを記憶するファイル記憶手段と、
他の撮像装置との間で前記ファイルに関する通信を行う通信手段と、
情報を表示する表示手段と、
撮像装置に対して指示を入力するスイッチ群と、
撮像装置を識別するための識別子を記憶する識別子記憶手段とを備え、
前記表示手段は、前記通信手段によって接続された他の撮像装置が保有するファイルに関して、他の撮像装置を特定する識別子、および他の撮像装置が保有するファイルに関する情報を表示するとともに、前記スイッチ群が操作されることによって所定のファイルが選択されたことを表示し、
前記通信手段は、前記スイッチ群により選択されたファイルを取得するための通信を行うことを特徴とする撮像装置。
【請求項２】
前記ファイルとともに該ファイルが含む画像の縮小画像を、接続された他の撮像装置より取得し、これを前記表示手段に表示することを特徴とする請求項１に記載の撮像装置。
【請求項３】
前記通信手段によって接続された他の撮像装置の識別子が設定されていない場合に、識別子として固有の文字列を生成し、該文字列を前記表示手段に表示し、さらにファイルコピー時にコピーされたファイルに対して前記文字列を含むファイル名を生成することを特徴とする請求項１に記載の撮像装置。
【請求項４】
前記表示手段はカラー画像を表示することが可能であり、ファイル情報の表示時において、各撮像装置毎に表示エリアの色を異なる色で表示することを特徴とする請求項１に記載の撮像装置。
【請求項５】
第１の時計を備え、接続されたそれぞれの撮像装置が所有する第２の時計と前記第１の時計との時間差を求め、ファイルコピー時にファイルが所有する時間情報に前記時間差を加算し、この値を新たにファイルが所有する時間情報として記録することを特徴とする請求項１に記載の撮像装置。
【請求項６】
前記通信手段によって接続された複数の撮像装置からファイルを複製しこれを前記記録手段に記録することが可能であり、複製候補ファイルの中から同一ファイルを検索し、同一ファイルが存在する場合には同一ファイルの中の一ファイルのみを複製し、前記記録手段に記録することを特徴とする請求項１に記載の撮像装置。
【請求項７】
ファイルコピー時にコピーされたファイルのファイル名として、元のファイル名を特定する文字列とコピー元の撮像装置を特定する文字列を含むファイル名を生成することを特徴とする請求項１に記載の撮像装置。
【請求項８】
ファイル名が含む文字列よりコピー元の撮像装置およびコピー元の撮像装置が保有する記録手段内でのファイル名を特定し、この情報を用いて、すでにコピーされているファイル、またはこれからコピーするファイルが重複してコピーされることを禁止することを特徴とする請求項７に記載の撮像装置。
【請求項９】
画像を生成する撮像手段と、
前記画像を含むファイルを生成し、これを記憶するファイル記憶手段と、
他の撮像装置との間で画像ファイルおよび情報の通信を行う通信手段とを備え、
前記通信手段によって接続された撮像装置からあらかじめ検索条件を通信によって受信し、この検索条件を満たすファイルに関する情報を前記通信手段に接続された撮像装置に送信することを特徴とする撮像装置。
【請求項１０】
キーワードを記憶するキーワード記憶手段を備え、撮影前に設定されたキーワードを前記ファイルに付加し、ファイル情報通信時において検索条件として前記キーワードを用いてファイルの検索を行うことを特徴とする請求項９に記載の撮像装置。
【請求項１１】
画像を生成する撮像手段と、
前記画像を含むファイルを生成し、これを記憶するファイル記憶手段と、
他の撮像装置との間で画像ファイルおよび情報の通信を行う通信手段とを備え、
前記通信手段に接続された撮像装置から該撮像装置内に存在するファイルに関する情報を通信によって受信し、このファイルに関する情報の中から所定の検索条件を満たす情報を検索し、検索された情報に関するファイルを前記接続された撮像装置からコピーすることを特徴とする撮像装置。
【請求項１２】
キーワードを記憶するキーワード記憶手段を備え、撮影前に設定されたキーワードを前記ファイルに付加することを特徴とする請求項１１に記載の撮像装置。
【請求項１３】
画像を生成する撮像手段と、
前記画像およびフラグを含むファイルを生成し、これを記憶するファイル記憶手段と、
他の撮像装置との間で前記ファイルの伝送を行う通信手段とを備え、
前記フラグにファイルが含む画像を表示させないことを目的とした表示禁止、またはファイルのコピーを禁止することを目的としたコピー禁止のいずれかの情報が含まれる場合、前記ファイルに関する情報の通信を禁止することを特徴とする撮像装置。
【請求項１４】
他の撮像装置から通信要求を受けたときにおいて、ファイルの表示禁止、またはコピー禁止フラグが真であったときに、このファイルに関する情報を他のカメラに送信することを禁止することを特徴とする請求項１３に記載の撮像装置。
【請求項１５】
画像を生成する撮像手段と、
前記画像およびフラグを含むファイルを生成し、これを記憶するファイル記憶手段と、
他の撮像装置との間で前記ファイルの伝送を行う通信手段とを備え、
前記通信手段を用いて撮像装置間でのファイルの転送を行うときにおいて、前記フラグに前記ファイルがプリント指定されていることを示すプリントマークが含まれる場合、プリントマークを初期値に戻すことを特徴とする撮像装置。
【請求項１６】
画像を生成する撮像手段と、
前記画像およびフラグを含むファイルを生成し、これを記憶するファイル記憶手段と、
他の撮像装置との間で前記ファイルの伝送を行う通信手段とを備え、
前記通信手段を用いて撮像装置間でのファイルの転送を行うときにおいて、前記フラグに前記ファイルに対する上書きまたはファイルの消去を禁止する、ライトプロテクトフラグが含まれる場合、ライトプロテクトフラグの値を初期値に戻すことを特徴とする撮像装置。
【請求項１７】
画像を生成する撮像手段と、前記画像を含むファイルを生成し、これを記憶するファイル記憶手段と、他の撮像装置との間で前記ファイルに関する通信を行う通信手段と、情報を表示する表示手段と、撮像装置に対して指示を入力するスイッチ群と、撮像装置を識別するための識別子を記憶する識別子記憶手段とを備える撮像装置を制御するための撮像装置の制御方法であって、
前記表示手段に、前記通信手段によって接続された他の撮像装置が保有するファイルに関して、他の撮像装置を特定する識別子、および他の撮像装置が保有するファイルに関する情報を表示させるとともに、前記スイッチ群が操作されることによって所定のファイルが選択されたことを表示させ、
前記通信手段に、前記スイッチ群により選択されたファイルを取得するための通信を行わせることを特徴とする撮像装置の制御方法。
【請求項１８】
画像を生成する撮像手段と、前記画像を含むファイルを生成し、これを記憶するファイル記憶手段と、他の撮像装置との間で画像ファイルおよび情報の通信を行う通信手段とを備える撮像装置を制御するための撮像装置の制御方法であって、
前記通信手段によって接続された撮像装置からあらかじめ検索条件を通信によって受信させ、この検索条件を満たすファイルに関する情報を前記通信手段に接続された撮像装置に送信させることを特徴とする撮像装置の制御方法。
【請求項１９】
画像を生成する撮像手段と、前記画像を含むファイルを生成し、これを記憶するファイル記憶手段と、他の撮像装置との間で画像ファイルおよび情報の通信を行う通信手段とを備える撮像装置を制御するための撮像装置の制御方法であって、
前記通信手段に接続された撮像装置から該撮像装置内に存在するファイルに関する情報を通信によって受信させ、このファイルに関する情報の中から所定の検索条件を満たす情報を検索させ、検索された情報に関するファイルを前記接続された撮像装置からコピーさせることを特徴とする撮像装置の制御方法。
【請求項２０】
画像を生成する撮像手段と、前記画像およびフラグを含むファイルを生成し、これを記憶するファイル記憶手段と、他の撮像装置との間で前記ファイルの伝送を行う通信手段とを備える撮像装置を制御するための撮像装置の制御方法であって、
前記フラグにファイルが含む画像を表示させないことを目的とした表示禁止、またはファイルのコピーを禁止することを目的としたコピー禁止のいずれかの情報が含まれる場合、前記ファイルに関する情報の通信を禁止させることを特徴とする撮像装置の制御方法。
【請求項２１】
画像を生成する撮像手段と、前記画像およびフラグを含むファイルを生成し、これを記憶するファイル記憶手段と、他の撮像装置との間で前記ファイルの伝送を行う通信手段とを備える撮像装置を制御するための撮像装置の制御方法であって、
前記通信手段を用いて撮像装置間でのファイルの転送を行うときにおいて、前記フラグに前記ファイルがプリント指定されていることを示すプリントマークが含まれる場合、プリントマークを初期値に戻すことを特徴とする撮像装置の制御方法。
【請求項２２】
画像を生成する撮像手段と、前記画像およびフラグを含むファイルを生成し、これを記憶するファイル記憶手段と、他の撮像装置との間で前記ファイルの伝送を行う通信手段とを備える撮像装置を制御するための撮像装置の制御方法であって、
前記通信手段を用いて撮像装置間でのファイルの転送を行うときにおいて、前記フラグに前記ファイルに対する上書きまたはファイルの消去を禁止する、ライトプロテクトフラグが含まれる場合、ライトプロテクトフラグの値を初期値に戻すことを特徴とする撮像装置の制御方法。
【請求項２３】
請求項１７乃至２２のいずれか１項に記載の撮像装置の制御方法をコンピュータに実行させることを特徴とするプログラム。
【請求項２４】
請求項２３に記載のプログラムをコンピュータ読み取り可能に記憶したことを特徴とする記憶媒体。
【手続補正２】
【補正対象書類名】明細書
【補正対象項目名】００１１
【補正方法】変更
【補正の内容】
【００１１】
【課題を解決するための手段】
上述した課題を解決し、目的を達成するために、本発明に係わる撮像装置は、画像を生成する撮像手段と、前記画像を含むファイルを生成し、これを記憶するファイル記憶手段と、他の撮像装置との間で前記ファイルに関する通信を行う通信手段と、情報を表示する表示手段と、撮像装置に対して指示を入力するスイッチ群と、撮像装置を識別するための識別子を記憶する識別子記憶手段とを備え、前記表示手段は、前記通信手段によって接続された他の撮像装置が保有するファイルに関して、他の撮像装置を特定する識別子、および他の撮像装置が保有するファイルに関する情報を表示するとともに、前記スイッチ群が操作されることによって所定のファイルが選択されたことを表示し、前記通信手段は、前記スイッチ群により選択されたファイルを取得するための通信を行うことを特徴としている。
【手続補正３】
【補正対象書類名】明細書
【補正対象項目名】００２７
【補正方法】変更
【補正の内容】
【００２７】
また、本発明に係わる撮像装置の制御方法は、画像を生成する撮像手段と、前記画像を含むファイルを生成し、これを記憶するファイル記憶手段と、他の撮像装置との間で前記ファイルに関する通信を行う通信手段と、情報を表示する表示手段と、撮像装置に対して指示を入力するスイッチ群と、撮像装置を識別するための識別子を記憶する識別子記憶手段とを備える撮像装置を制御するための撮像装置の制御方法であって、前記表示手段に、前記通信手段によって接続された他の撮像装置が保有するファイルに関して、他の撮像装置を特定する識別子、および他の撮像装置が保有するファイルに関する情報を表示させるとともに、前記スイッチ群が操作されることによって所定のファイルが選択されたことを表示させ、前記通信手段に、前記スイッチ群により選択されたファイルを取得するための通信を行わせることを特徴としている。